(57)【要約】【課題】運転停止（休止）時における一対の上下風向板同士の隙間を狭めながらも、上下風向板が回転不能に陥ることがない空気調和機の室内機を得る。【解決手段】空気調和機の室内機２は、第１上下風向板１００に設置されたカム部１２２を具備する第１制動部材１２０と、第２上下風向板２００に設置されたカム部２２２を具備する第２制動部材２２０と、両者の中間に揺動自在に設置されたシーソー部材３００とを有する。シーソー部材３００の第１先端３０１が第１制動部材１２０のカム部１２２の径大部に当接した際、シーソー部材３００の第２先端３０２が第２制動部材２２０のカム部２２２の径大部から離脱し、且つ、シーソー部材３００の第２先端３０２が第２制動部材２２０のカム部２２２の径大部に当接した際、シーソー部材３００の第１先端３０１が第１制動部材１２０のカム部１２２の径大部から離脱する。【選択図】図１１
2010249360.tif 000002
【特許請求の範囲】
【請求項１】
送風手段および熱交換手段が収納され、前面の下面寄りの範囲および下面の前面寄りの範囲に吹出口が形成された本体と、
前記吹出口の前記本体の前面側に回転自在に配置された第１上下風向板と、
前記吹出口の前記本体の後面側に回転自在に配置された第２上下風向板と、
前記第１上下風向板の回転軸に設置され、円弧状凹部を具備する第１制動部材と、
前記第２上下風向板の回転軸に設置された第２駆動部材と、
前記本体に揺動自在に設置され、前記本体の下面方向に回転した際、前記第１制動部材の円弧状凹部に当接し、且つ、前記本体の上面方向に回転した際、前記第１制動部材の円弧状凹部から離脱する扇状部を具備する第２制動部材と、
前記第２駆動部材と前記第２制動部材とを連結する連結部材と、
を有し、
前記第１上下風向板が略鉛直の姿勢で、前記第２上下風向板が前記本体の下面方向に回転した姿勢の際、前記連結部材は、前記第１制動部材の円弧状凹部に前記第２制動部材の扇状部を当接させ、且つ、前記第１上下風向板が略鉛直の姿勢で、前記第２上下風向板が前記本体の上面方向に回転した姿勢の際、前記連結部材は、前記第１制動部材の円弧状凹部から前記第２制動部材の扇状部を離脱されることを特徴とする空気調和機の室内機。
【請求項２】
送風手段および熱交換手段が収納され、前面の下面寄りの範囲および下面の前面寄りの範囲に吹出口が形成された本体と、
前記吹出口の前記本体の前面側に回転自在に配置された第１上下風向板と、
前記吹出口の前記本体の後面側に回転自在に配置された第２上下風向板と、
前記第１上下風向板の回転軸に設置され、径大部および径小部を具備する第１制動部材と、
前記第２上下風向板の回転軸に設置され、径大部および径小部を具備する第２制動部材と、  
前記本体に揺動自在に設置され、一方の先端が前記第１制動部材の径大部に当接した際、他方の先端が前記第２制動部材の径大部から外れ、且つ、他方の先端が前記第２制動部材の径大部に当接した際、一方の先端が前記第１制動部材の径大部から離脱するシーソー部材と、を有し、
前記第１上下風向板が略鉛直の姿勢で、前記第２上下風向板が略水平の姿勢のとき、前記シーソー部材の他方の先端が前記第２制動部材の径大部に当接して、前記第１上下風向板の前記本体の後面方向の回転が拘束され、且つ、前記第１上下風向板が略鉛直の姿勢で、前記第２上下風向板が略鉛直の姿勢のとき、前記シーソー部材の一方の先端が前記第１制動部材の径大部に当接して、前記第１上下風向板は前記本体の後面方向に回転することができることを特徴とする空気調和機の室内機。
【請求項３】
前記第１制動部材を回転する第１ステッピングモータと、
前記第２制動部材を回転する第２ステッピングモータと、
前記第１ステッピングモータおよび前記第２ステッピングモータの回転を制御する制御部と、を有し、
該制御部が、前記第１上下風向板が略鉛直の姿勢で、前記第２上下風向板が略水平の姿勢のとき、前記第２ステッピングモータを回転して前記第２上下風向板を略鉛直の姿勢にすると同時に、前記第２制動部材の径大部が前記シーソー部材の他方の先端に当接しない位相にした後、前記第１ステッピングモータを回転して前記第１上下風向板を略水平の姿勢にし、
前記第１上下風向板が略水平の姿勢で、前記第２上下風向板が略鉛直の姿勢のとき、前記第１ステッピングモータを回転して前記第１上下風向板を略鉛直の姿勢にすると同時に、前記第１制動部材の径大部が前記シーソー部材の一方の先端に当接しない位相にした後、前記第２ステッピングモータを回転して前記第２上下風向板を略水平の姿勢にすることを特徴とする請求項１または２記載の空気調和機の室内機。
【発明の詳細な説明】
【技術分野】
【０００１】
この発明は空気調和機の室内機、特に、吹出口に風向板を有する空気調和機の室内機に関するものである。
【背景技術】
【０００２】
従来、空気調和機の室内機は、吹出口に一対の上下風向板を設置し、それぞれを別々のモータで回転させて、上下方向にきめ細かな風向制御している。このとき、上下風向板の基準位置の位置決めを行うためのストッパー部材を強固にする発明が開示されている（例えば、特許文献１参照。）。
【先行技術文献】
【特許文献】
【０００３】
【特許文献１】特開平１０−１０３７５１（第４−５頁、図１）
【発明の概要】
【発明が解決しようとする課題】
【０００４】
特許文献１に開示された空気調和機の室内機は、一対の上下風向板が、それぞれ独立して回転した際、互いに干渉しないように離して設置されている。このため、運転停止（休止）時において、一対の上下風向板同士の間に広い隙間が生じ、吹出口が塞がれないため、室内機の意匠性を損なうという問題があった。
一方、室内機の意匠性を損なわないために、一対の上下風向板を近接して隙間を狭くしたのでは、互いに干渉して回転不能に陥るという問題があった。特に、運転停止中に清掃等によって上下風向板が回転した場合、すなわち、基準位置にない状態から回転を始めた場合、一方の上下風向板が他方の上下風向板のストッパーとなって他方の風向板をロックするおそれがあった。
【０００５】
この発明は、前記問題を解決するためになされたものであって、運転停止（休止）時における一対の上下風向板同士の隙間を狭めながらも、上下風向板が回転不能に陥ることがない空気調和機の室内機を得るものである。
【課題を解決するための手段】
【０００６】
本発明に係る空気調和機の室内機は、送風手段および熱交換手段が収納され、前面の下面寄りの範囲および下面の前面寄りの範囲に吹出口が形成された本体と、
前記吹出口の前記本体の前面側に回転自在に配置された第１上下風向板と、
前記吹出口の前記本体の後面側に回転自在に配置された第２上下風向板と、
前記第１上下風向板の回転軸に設置され、径大部および径小部を具備する第１制動部材と、
前記第２上下風向板の回転軸に設置され、径大部および径小部を具備する第２制動部材と、  
前記本体に揺動自在に設置され、一方の先端が前記第１制動部材の径大部に当接した際、他方の先端が前記第２制動部材の径大部から外れ、且つ、他方の先端が前記第２制動部材の径大部に当接した際、一方の先端が前記第１制動部材の径大部から離脱するシーソー部材と、を有し、
前記第１上下風向板が略鉛直の姿勢で、前記第２上下風向板が略水平の姿勢のとき、前記シーソー部材の他方の先端が前記第２制動部材の径大部に当接して、前記第１上下風向板の前記本体の後面方向の回転が拘束され、且つ、前記第１上下風向板が略鉛直の姿勢で、前記第２上下風向板が略鉛直の姿勢のとき、前記シーソー部材の一方の先端が前記第１制動部材の径大部に当接して、前記第１上下風向板は前記本体の後面方向に回転することができることを特徴とする。
【発明の効果】
【０００７】
本発明に係る空気調和機の室内機は前記構成であるから、運転停止（休止）時における一対の上下風向板同士の隙間を狭めながらも、上下風向板が干渉して回転不能に陥ることがない。すなわち、第１上下風向板に設置された第１制動部材の位相と、第２上下風向板に設置された第２制動部材の位相とが、所定の関係にあるとき、一方が他方の回転を拘束して一方の回転を不能にするから、不用意な回転が防止される。
【図面の簡単な説明】
【０００８】
【図１】本発明の実施の形態１に係る空気調和機の室内機を示す正面図。
【図２】図１に示す室内機を示す斜視図。
【図３】図１に示す室内機を示す側面視の断面図。
【図４】図１に示す室内機の一部を透過して示す斜視図。
【図５】図１に示す室内機の回転機構を構成する構成部材を分解して示す斜視図。
【図６】図５に示す回転機構の構成部材の動作を示す側面図。
【図７】図５に示す回転機構の構成部材の動作を示す側面図。
【図８】図５に示す回転機構の構成部材の動作を示す側面図。
【図９】図１に示す室内機の上下風向板の動作を示す側面視の断面図。
【図１０】図１に示す室内機の上下風向板の動作を示す側面視の断面図。
【図１１】本発明の実施の形態２に係る空気調和機の室内機の回転機構を構成する構成部材を分解して示す斜視図。
【図１２】図１１に示す回転機構の構成部材の動作を示す側面図。
【図１３】図１１に示す回転機構の構成部材の動作を示す側面図。
【図１４】図１１に示す回転機構の構成部材の動作を示す側面図。
【発明を実施するための形態】
【０００９】
［実施の形態１］
（空気調和機の室内機）
図１〜図１０は本発明の実施の形態１に係る空気調和機の室内機を説明するものであって、図１は正面図、図２は斜視図、図３は側面視の断面図、図４は一部を透過して示す斜視図、図５は回転機構を構成する構成部材を分解して示す斜視図、図６〜図８は回転機構の構成部材の動作を示す側面図、図９および図１０は上下風向板の動作を示す側面視の断面図である。なお、図１〜図１０は模式的に描いたものであって、本発明は図示された形態に限定するものではない。
【００１０】
図１〜図５において、空気調和機の室内機（以下「室内機」と称す）１は、函状の本体１０と、本体１０の内部に収納された送風ファン２０と、送風ファン２０の一部に対向して配置された熱交換器３０と、本体１０の前面（図３において左側）開口部を覆う前パネル（正確には、本体１０の側面の一部も覆っている、意匠パネルに同じ）４０と、を有している。
【００１１】
（吹出口）
本体１０は、後面（図３において右側）が室内の壁等に設置されるものであって、上面（図３において上側）には、室内空気を吸引するための吸込口５０と、内部には、送風ファン２０からの風路を形成するためのファンケーシング６０を有している。
ファンケーシング６０は後面側に配置されたケーシング後部材（ケーシング後板に同じ）６１と、前面開口部側に配置されたケーシング前部材６２と、側面を形成する隔壁８０（図５参照）とによって挟まれた所定幅の空間である。そして、ファンケーシング６０の終端、すなわち、下面（図３において下側）の前面側の側縁と、前パネル４０の下側の側縁との間に形成される隙間が、吹出口６３になっている。
【００１２】
（上下風向板）
さらに、吹出口６３には、前面寄りに第１上下風向板１００と、後面寄りに第２上下風向板２００と、が回転自在に設置されている。
第１上下風向板１００の裏面１００ｂには所定間隔で風向板フランジ１０１が設置され、風向板フランジ１０１には風向板回転軸１０２が設置されている。一方、ケーシング前部材６２にはケーシングフランジ６４が設置され、ケーシングフランジ６４にはケーシング軸受６５が設置されている。そして、風向板回転軸１０２がケーシング軸受６５に回転自在に軸支されている。
同様に、第２上下風向板２００の裏面２００ｂには所定間隔で風向板フランジ２０１が設置され、風向板フランジ２０１には風向板回転軸２０２が設置されている。一方、吹出口６３に図示しないケーシングフランジが設置され、該ケーシングフランジにケーシング軸受６７が設置されている。そして、風向板回転軸２０２がケーシング軸受６７に回転自在に軸支されている。
【００１３】
第１上下風向板１００および第２上下風向板２００は、それぞれ独立に回転されるものであって、第１上下風向板１００を回転する第１ステッピングモータ１９０および第２上下風向板２００を回転する第２ステッピングモータ２９０が、本体１０の隔壁８０に設置されたモータケース９０に収納されている。以下、回転機構について詳細に説明する。
【００１４】
（第１制動部材）
第１上下風向板１００に設置された風向板フランジ１０１のうち隔壁８０に最も近い風向板フランジ１０１には、第１制動部材１１０が一体的に回転するように設置される。
第１制動部材１１０は、断面円形の軸部１１１と、軸部１１１に設置された円盤部１１２と、円盤部１１２に形成された円弧状凹部１１３と、第１ステッピングモータ１９０の回転軸に連結される端部１１４と、を有している。
【００１５】
（第２制動部材）
第２上下風向板２００に設置された風向板フランジ２０１のうち隔壁８０に最も近い風向板フランジ２０１には、第２駆動部材２１０が一体的に回転するように設置される。
第２駆動部材２１０は、断面円形の軸部２１１と、軸部２１１に設置された駆動フランジ２１２と、駆動フランジ２１２の先端に設置された駆動ピン２１３と、第２ステッピングモータ２９０の回転軸に連結される端部２１４と、を有している。
また、第２駆動部材２１０は、第２連結部材２３０を介して第２制動部材２４０に連結される。第２連結部材２３０は、連結アーム２３１と、連結アーム２３１の両端部にそれぞれ設置された連結ピン孔２３３、２３４を有している。
第２制動部材２４０は、軸部２４１と、軸部２４１の中心を中心とする扇形からなる扇状部２４２と、軸部２４１に設置された制動フランジ２４３と、制動フランジ２４３の先端に設置された制動ピン２４４と、を有している。
【００１６】
（隔壁軸受）
一方、隔壁８０には、第１制動部材１１０の軸部１１１を回転自在に軸支する隔壁軸受８１と、第２駆動部材２１０の軸部２１１の隔壁８０側を回転自在に軸支する隔壁軸受８２と、第２制動部材２４０の軸部２４１を回転自在に軸支する隔壁軸受８４と、が設けられている。このとき、隔壁軸受８４は、隔壁軸受８１と隔壁軸受８２との間にあって、三角形状に配置されている。
【００１７】
（モータケース）
また、モータケース９０には、第２制動部材２４０の軸部２４１の第１ステッピングモータ１９０側を回転自在に軸支する軸受（図示しない）が設けられているが、当該軸受または隔壁軸受８４の一方を省略してもよい。
さらに、モータケース９０には、これを隔壁８０に設置するためナット（図示しない）が貫通する貫通孔９８が形成され、隔壁８０には、貫通孔９８に対応した位置に隔壁雌ネジ８９が形成されている。なお、第１ステッピングモータ１９０および第２ステッピングモータ２９０は、公知の手段によってモータケース９０に設置されている。
【００１８】
そして、第１上下風向板１００に接続された第１制動部材１１０の軸部１１１は隔壁軸受８１によって、第２上下風向板２００に接続された第２駆動部材２１０の軸部２１１は隔壁軸受８２によって、第２制動部材２４０の軸部２４１は隔壁軸受８４およびモータケース９０に設けられた軸受（図示しない）によって、それぞれ回転自在に軸支される。
また、第２連結部材２３０の連結ピン２３３および連結ピン２３４は、それぞれ、第２駆動部材２１０の駆動ピン２１３および第２制動部材２４０の制動ピン２４４に回転自在に係止する。
【００１９】
（運転停止時における回転機構）
図６に示す運転停止（休止）時において、第１上下風向板１００は略鉛直に起立し、第２上下風向板２００は略水平に倒伏している。
このとき、第１上下風向板１００の第１制動部材１１０の円弧状凹部１１３は略鉛直に起立している。また、第２駆動部材２１０の駆動フランジ２１２は起立し、第２連結部材２３０を上方に押し上げている。そのため、第２制動部材２４０の扇状部２４２は略水平に倒伏している。
そして、円弧状凹部１１３の円弧面（凹面）と扇状部２４２の円弧面（凸面）とが当接している。したがって、第１上下風向板１００を回転しようとしても、前記当接が回転を阻止するから、第１上下風向板１００を回転させることができない。すなわち、第１上下風向板１００はロックされた状態にある。
【００２０】
（運転開始時における回転機構）
図７に示す運転開始時において、第２ステッピングモータ２９０が第２駆動部材２１０を時計回りに回転している（紙面の裏から見れば、反時計回りに回転している）から、駆動フランジ２１２は倒伏している。このため、第２連結部材２３０は引き下げられ、第２制動部材２４０も時計回りに回転している。すなわち、扇状部２４２は倒立し、その円弧部は第１制動部材の円弧状凹部１１３から離れているから、第１上下風向板１００は回転自在になっている。すなわち、第１上下風向板１００のロックが外れた状態（以下「アンロック」と称す場合がある）になる。
【００２１】
図８に示す前記アンロック状態で、第１ステッピングモータ１９０を起動して、第１上下風向板１００を半時計回りに回転すれば、第１上下風向板１００を略水平に倒伏することができる。そして、この状態で、今度は、第２上下風向板２００を反時計回りに回転しようとすると、第２制動部材２４０の扇状部２４２の先端が、第１制動部材１１０の円盤部１１２に当接するから、回転することができない。なお、図には両者の間に隙間を設けているから、正確には該隙間分だけ回転する。
【００２２】
（運転開始時の動作）
第１ステッピングモータ１９０および第２ステッピングモータ２９０の回転を制御する図示しない制御部は、以下の制御をする。
図９の（ａ）において、運転停止中は、第１上下風向板１００は略鉛直の姿勢、第２上下風向板２００は略水平の姿勢で静止し、吹出口６３を覆っている。このとき、回転機構は図６に示すように、第１制動部材１１０と第２制動部材２４０とがロックした状態になっている。
図９の（ｂ）において、運転開始時には、まず、第２上下風向板２００が時計回りに回転する（第２ステッピングモータ２９０が先行して回転する）。そうすると、図７に示すように、第１制動部材１１０と第２制動部材２４０とのロックが外れた状態になる。
図９の（ｃ）において、前記ロックが外れた状態になった後、今度は、第１上下風向板１００が反時計回りに回転する（第１ステッピングモータ１９０が回転する）。そうすると、図８に示すように、第１制動部材１１０が第２制動部材２４０の反時計回りの回転を拘束するから、第２上下風向板２００は反時計回りに回転することができない。
【００２３】
（運転停止時の動作）
図１０の（ａ）において、運転停止時には、図９の（ｃ）に示す状態から、まず、第１上下風向板１００が時計回りに回転（第１ステッピングモータ１９０が先行して回転）して、略鉛直の姿勢で停止する。そうすると、図７に示すように、第１制動部材１１０と第２制動部材２４０とのロックが外れた状態になる。
図１０の（ｂ）において、次に、第２上下風向板２００が反時計回りに回転（第２ステッピングモータ２９０が回転）して、略水平の状態で停止する。そうすると、第１上下風向板１００と第２上下風向板２００とによって、吹出口６３が覆われる。
【００２４】
以上のように、室内機１では、第１制動部材１１０と第２制動部材２４０とのロックまたはアンロックによって、第１上下風向板１００または第２上下風向板２００が不用意な回転をしないから、第１上下風向板１００と第２上下風向板２００とを近接して配置しても、両者が回転の際に、干渉することがない。
よって、第１上下風向板１００と第２上下風向板２００とによって吹出口６３を、隙間を比較的狭くして覆うことが可能になる。すなわち、吹出口６３は、第１上下風向板１００の表面１００ａと第２上下風向板２００の表面とによって意匠性が担保される。
【００２５】
なお、以上の各図は、模式的に描くものであって、相互の位置や大小関係は図示するものに限定するものではない。また、第１制動部材１１０と第２制動部材２４０とは円弧状の当接面の広い範囲において当接しているが、第１制動部材１１０の円弧状凹部１１３を平面にして、第１制動部材１１０が所定の角度だけ回転したときにのみ、第２制動部材２４０に部分的に当接するようにしてもよい。また、円盤部１１２は第２制動部材２４０との当接面が形成されればよいから、円形である必要はない。
【００２６】
［実施の形態２］
（空気調和機の室内機）
図１１〜図１４は本発明の実施の形態２に係る空気調和機の室内機を説明するものであって、図１１は回転機構を構成する構成部材を分解して示す斜視図、図１２〜図１４は回転機構の構成部材の動作を示す側面図である。
図１１〜図１４において、空気調和機の室内機（以下「室内機」と称す）２は、回転機構が室内機１（実施の形態１）と相違するだけで、その他の構成は室内機１に同じである。したがって、室内機１と同じ部分または相等する部分には同じ符号を付し、一部の説明を省略する。
【００２７】
（第１制動部材）
第１上下風向板１００に設置された風向板フランジ１０１のうち隔壁８０に最も近い風向板フランジ１０１には、第１制動部材１２０が一体的に回転するように設置される。
第１制動部材１２０は、断面円形の軸部１２１と、軸部１２１に設置されたカム部１２２と、第１ステッピングモータ１９０の回転軸に連結される端部１２４と、を有している。
このとき、カム部１２２は段差部１２３が形成された端面カムであって、段差部１２３を境に、径大部１２２ａと、径大部１２２ａより軸部１２１の中心からの距離が小さい径小部１２２ｂとを、有している。
【００２８】
（第２制動部材）
第２上下風向板２００に設置された風向板フランジ２０１のうち隔壁８０に最も近い風向板フランジ２０１には、第２制動部材２２０が一体的に回転するように設置される。
第２制動部材２２０は、断面円形の軸部２２１と、軸部２２１に設置されたカム部２２２と、第２ステッピングモータ２９０の回転軸に連結される端部２２４と、を有している。
このとき、カム部２２２は段差部２２３が形成された端面カムであって、段差部２２３を境に、径大部２２２ａと、径大部２２２ａより軸部２２１の中心からの距離が小さい径小部２２２ｂとを、有している。
【００２９】
（シーソー部材）
シーソー部材３００は、アーム部３０４と、アーム部３０４の中央に設けられた揺動軸３０３とを有している。以下、アーム部３０４の一方の先端を第１先端３０１、他方の先端を第２先端３０２と称す。
【００３０】
（隔壁軸受）
一方、隔壁８０には、第１制動部材１２０の軸部１２１を回転自在に軸支する隔壁軸受８１と、第２制動部材２２０の軸部２２１を回転自在に軸支する隔壁軸受８２と、シーソー部材３００の揺動軸３０３の隔壁８０側を回転自在に軸支する隔壁軸受８３が、設置されている。
なお、シーソー部材３００の揺動軸３０３のモータケース９０側は、モータケース９０に設けられた軸受（図示しない）によって回転自在に軸支されているが、該軸受または隔壁軸受８３の一方を省略してもよい。
【００３１】
（運転停止時における回転機構）
図１２に示す運転停止（休止）時において、第１上下風向板１００は略鉛直に起立し、一方、第２上下風向板２００は略水平に倒伏している。
このとき、第１上下風向板１００に一体的に接続された第１制動部材１２０の径小部１２２ｂは上方に位置し、一方、第２上下風向板１００に一体的に接続された第２制動部材２２０の径大部２２２ａは上方に位置し、径大部２２２ａにシーソー部材３００の第２先端３０２が当接している。また、シーソー部材３００の第１先端３０１は、第１制動部材１２０の径小部１２２ｂに当接または僅かな隙間を空けて対向している。
【００３２】
したがって、第１上下風向板１００を反時計回りに回転しようとすると、シーソー部材３００の第１先端３０１に第１制動部材１２０の段差部１２３が当接して、シーソー部材３００を時計回りに回転させようとするものの、シーソー部材３００の第２先端３０２は第２制動部材２２０の径大部２２２ａに当接しているから、第１上下風向板１００を反時計回りに回転させることができない。すなわち、第１上下風向板１００はロックされた状態にある。
【００３３】
（運転開始時における回転機構）
図１３に示す運転開始時において、第２ステッピングモータ２９０が第２駆動部材２１０を時計回りに回転している（紙面の裏から見れば、反時計回りに回転している）から、第２制動部材２２０の径小部２２２ｂが上方に位置している。
そうすると、シーソー部材３００の第２先端３０２は第２制動部材２２０の径小部２２２ｂに当接するまで、回転（揺動）することができる。
【００３４】
図１４において、図１３に示す状態において、第１ステッピングモータ１９０を起動して、第１上下風向板１００を半時計回りに回転すれば、第１上下風向板１００を略水平に倒伏させている。
すなわち、シーソー部材３００は、前記のように回転（揺動）することができるから、 第１制動部材１２０が反時計回りに回転すると、カム部１２２の径大部１２２ａはシーソー部材３００の第２先端３０２に当接してシーソー部材３００を回転させる。すなわち、第１上下風向板１００の回転はロックが外れた状態（アンロックに同じ）になる。このとき、シーソー部材３００の第２先端３０２は第２制動部材２２０の径小部２２２ｂに当接または僅かな間隔を空けて対向している。
【００３５】
また、第２上下風向板２００を反時計回りに回転しようとすると、シーソー部材３００の第２先端３０２が第２制動部材２２０の段差部２２３に当接して、シーソー部材３００を反時計回りに回転させようとするものの、シーソー部材３００の第１先端３０１は第１制動部材１２０の径大部１２２ａに当接しているから、第２上下風向板２００を反時計回りに回転させることができない。すなわち、第２上下風向板２００はロックされた状態にある。
【００３６】
（動作）
室内機２における運転開始時の動作および運転停止時の動作は、室内機１（実施の形態１）に同じであるから、説明を省略する。また、室内機２の回転機構は、前記のようなロックおよびアンロックの機能を有するから、室内機１と同様の作用効果を奏する。
【００３７】
なお、以上の各図は、模式的に描くものであって、相互の位置や大小関係は図示するものに限定するものではない。シーソー部材３００はＶ字状に限定するものではなく、矩形状（棒状）であってもよい。
また、カム部１２２、２２２の形状は図示する形状に限定するものではない。すなわち、運転停止中において、シーソー部材３００の第２先端３０２が当接するだけの凸部が、第２制動部材２２０のカム部２２２に設けられ、且つ、シーソー部材３００に第１先端３０１が侵入するだけの凹部が、第１制動部材１２０のカム部１２２に設けられ、さらに、運転中において、シーソー部材３００の第１先端３０１が当接するだけの凸部が、第１制動部材１２０のカム部１２２に設けられ、且つ、シーソー部材３００の第２先端３０１が侵入するだけの凹部が、第２制動部材２２０のカム部２２２に設けられればよい。
つまり、シーソー部材３００に第１先端３０１および第２先端３０２が、同時に第１制動部材１２０のカム部１２２および第２制動部材２２０のカム部２２２に当接したのでは、前記ロックおよびアンロックを実行することができない。
【産業上の利用可能性】
【００３８】
本発明によれば、運転停止（休止）時における上下風向板同士の隙間を狭めながらも、上下風向板が回転不能に陥ることがなく、意匠性および運転信頼性に優れているから、家庭用および事業用の各種空気調和機の室内機として広く利用することができる。
【符号の説明】
【００３９】
１：室内機（実施の形態１）、２：室内機（実施の形態２）、１０：本体、２０：送風ファン、２２：連結部材、３０：熱交換器、４０：前パネル、５０：吸込口、６０：ファンケーシング、６１：ケーシング後部材、６２：ケーシング前部材、６３：吹出口、６４：ケーシングフランジ、６５：ケーシング軸受、６７：ケーシング軸受、８０：隔壁、８１：隔壁軸受、８２：隔壁軸受、８３：隔壁軸受、８４：隔壁軸受、８９：隔壁雌ネジ、９０：モータケース、９８：貫通孔、１００：第１上下風向板、１００ａ：表面、１００ｂ：裏面、１０１：風向板フランジ、１０２：風向板回転軸、１１０：第１制動部材（実施の形態１）、１１１：軸部、１１２：円盤部、１１３：円弧状凹部、１１４：端部、１２０：第１制動部材（実施の形態２）、１２１：軸部、１２２：カム部、１２２ａ：径大部、１２２ｂ：径小部、１２３：段差部、１２４：端部、１９０：ステッピングモータ、２００：第２上下風向板、２００ａ：表面、２００ｂ：裏面、２０１：風向板フランジ、２０２：風向板回転軸、２１０：第２駆動部材（実施の形態１）、２１１：軸部、２１２：駆動フランジ、２１３：駆動ピン、２１４：端部、２２０：第２制動部材（実施の形態２）、２２１：軸部、２２２：カム部、２２２ａ：径大部、２２２ｂ：径小部、２２３：段差部、２２４：端部、２３０：第２連結部材（実施の形態１）、２３１：連結アーム、２３３：連結ピン、２３４：連結ピン、２４０：第２制動部材（実施の形態１）、２４１：軸部、２４２：扇状部、２４３：制動フランジ、２４４：制動ピン、２９０：ステッピングモータ、３００：シーソー部材（実施の形態２）、３０１：第１先端、３０２：第２先端、３０３：揺動軸、３０４：アーム部。
【図１】
2010249360.tif 000003
【図２】
2010249360.tif 000004
【図３】
2010249360.tif 000005
【図４】
2010249360.tif 000006
【図５】
2010249360.tif 000007
【図６】
2010249360.tif 000008
【図７】
2010249360.tif 000009
【図８】
2010249360.tif 000010
【図９】
2010249360.tif 000011
【図１０】
2010249360.tif 000012
【図１１】
2010249360.tif 000013
【図１２】
2010249360.tif 000014
【図１３】
2010249360.tif 000015
【図１４】
2010249360.tif 000016